(57)【要約】【課題】ＰＷＭ方式によるスピンドルモータ制御を行うディスクプレイヤーにおいて、データの読み込みを行っていない期間も回転を停止することなく、少ないモータ駆動電流にて回転数制御を行う。【解決手段】ＰＷＭ信号制御回路１１によりデータ読み込みを中止している期間中に、スピンドルモータの回転を止めることなく低デューティ値のＰＷＭ電圧をスピンドルモータ９に印加し、時間経過に伴い低下していく回転速度を回復するように間欠的に高デューティ値のＰＷＭ信号を印加し、また次のデータ読み込みが開始される直前には、加速を行うために所定のデューティ値のＰＷＭ信号を印加してスピンドルの回転数を上げるように制御することにより、スピンドルモータの平均駆動電流を低減する。【選択図】　図１
2004087020.tif 000002
【特許請求の範囲】
【請求項１】
ディスクからデータを受け取るピックアップと、
前記ピックアップからの信号を増幅するＲＦアンプと、
前記ＲＦアンプからの増幅された信号から音声出力用のデジタル信号と制御用のデジタル信号とを生成する信号処理回路と、
前記信号処理回路で生成されたデジタルの音声信号を記憶するデータ記憶装置と、
デジタル音声信号をアナログの音声信号に変換するＤ／Ａコンバータと、
アナログ音声信号を増幅して音に変換するオーディオ回路と、
ディスクの回転を駆動するスピンドルモータと、
前記スピンドルモータに電圧を印加し電流を流すことで回転を制御するスピンドルモータ駆動回路と、
前記スピンドルモータ駆動回路の駆動状態を制御するためのＰＷＭ出力回路と、
前記信号処理回路からの時間や回転状態の情報を受けて、スピンドルモータの回転速度を変えるためにＰＷＭ波形の印加パルス幅、デューティ値を制御するＰＷＭ信号制御回路とを備え、
再生のための回転速度よりも高速回転でディスクからデータ読み込みを行い、データを前記データ記憶装置に蓄積し、蓄積したデータを先に記憶されたデータから順次定速度で前記信号処理回路から出力しつつ、前記データ記憶装置の記憶容量が満たされてデータ読み込みを終了し、次のデータ読み込みを開始するまでの期間中は低デューティ値のＰＷＭ信号を印加しつつ間欠的に高デューティ値のＰＷＭ信号を印加し、かつ次のデータ読み込み開始直前の所定時間に加速を行うための設定されたデューティ値のＰＷＭ信号を印加して前記スピンドルモータの回転数を上げるように制御することを特徴とするディスクプレイヤー。
【請求項２】
前記信号処理回路は前記ＰＷＭ信号制御回路に前記スピンドルモータの回転数情報を与えることを特徴とする請求項１記載のディスクプレイヤー。
【請求項３】
前記信号処理回路からの情報を受けて、絶対再生時間を管理してディスク上のどの位置を再生しているかを認識し、前記ＰＷＭ信号制御回路にＰＷＭ信号のデューティ値を変更する情報を与える絶対時間認識回路をさらに備え、
絶対再生時間の情報位置によって、次のデータ読み込みが開始される直前に加速のために印加するＰＷＭ信号のデューティ値をその都度可変することを特徴とする請求項１または２に記載のディスクプレイヤー。
【発明の詳細な説明】
【０００１】
【発明の属する技術分野】
本発明は、ＰＷＭ方式によるスピンドルモータ制御を行い、定速以上の回転でデータ記憶装置にデータを蓄積する機能を有したディスクプレイヤー、特に電池を使用して持ち運びを行うポータブルディスクプレイヤーにおいて、モータの駆動電力を低減するものに関する。
【０００２】
【従来の技術】
近年、ＣＤプレイヤーなどのディスクプレイヤーは、リアルタイムにデータの読み込みを行い音声信号を出力するだけでなく、データ記憶装置を搭載し、定速以上の回転でデータ読み込みを行い、記憶装置に記録する操作を介して逐次そのデータを定速で読み出すことにより音声信号を出力している。これは、外部からの振動による音飛び防止や、データ読み込みを行っていない期間の回路電流削減による省電力化につながっている。
【０００３】
以下に従来のＣＤプレイヤーについて説明する。従来のＣＤプレイヤーの基本的なブロック図である図７において、ピックアップ１はディスク１０からデータを受け取り、ＲＦアンプ２はピックアップ１からの信号を増幅する。信号処理回路３はＲＦアンプ２からの増幅された信号から音声出力用のデジタル信号と制御用のデジタル信号とを生成する。データ記憶装置４はＤＲＡＭなどが用いられ、信号処理回路３で生成されたデジタルの音声信号データをいったん一時記憶する。Ｄ／Ａコンバータ５は信号処理回路３から出力されたデジタル信号をアナログの音声信号に変換し、オーディオ回路６はこの変換されたアナログ音声信号を増幅して音に変換する。ＰＷＭ出力回路７は信号処理回路３から得た情報を元にスピンドルモータ駆動回路８の駆動状態を制御する。スピンドルモータ駆動回路８はディスク１０の回転を駆動するスピンドルモータ９に電圧を印加し電流を流すことでその回転を制御する。
【０００４】
以上のように構成された従来のＣＤプレイヤーについて、以下その動作を説明する。まず、ピックアップ１は、定速以上の回転速度で回転しているディスク１０からデータを読み込んでＲＦアンプ２へ送る。ＲＦアンプ２ではピックアップ１の出力のＲＦ情報信号を増幅し、信号処理回路３では、データのスライス、クロック抽出を行った後、ＥＦＭ復調や誤り訂正などの処理を行う。処理されたデータはいったんデータ記憶装置４に一時記憶した後、先に記憶されたデータから順次所定速度で信号処理回路３から出力する。
【０００５】
信号処理回路３から出力された音声信号は、Ｄ／Ａコンバータ５でアナログ音声信号に変換し、オーディオ回路６にて電圧増幅と電力増幅をして、音として聞くことができる。また、信号処理回路３は、入力信号から得たスピンドルモータの回転情報をＰＷＭ出力回路７に送り、ＰＷＭ出力回路７では、所望の回転数になるよう、パルスのデューティ値を可変させて出力し、スピンドルモータ駆動回路８の駆動状態を制御してスピンドルモータ９に電圧を印加し電流を流して回転を制御して、ディスク１０を回転させ、ピックアップ１でデータ読み込みを行う。
【０００６】
ディスク１０を定速以上の回転数で回転させてデータ読み込みを行い、データ記憶装置４にデータを記憶させながら所定速度で読み出しを行う。データ記憶装置４にデータが所定量以上蓄積されると、ピックアップ１でのデータの読み込みを停止し、データ記憶装置４に一時記憶されたデジタルの音声信号が所定量以下になるまで上記のようにデータの読み込みを停止したまま音声出力を得る。これは、先にも述べた外部からの振動による音飛び防止や、データ読み込みを行っていない期間の回路電流削減による省電力化のためのものであり、持ち運びを行うポータブルＣＤプレイヤーにおいては、必要不可欠なものとなっている。
【０００７】
【発明が解決しようとする課題】
しかしながら上記の従来の構成では、データの読み込みを行っていない期間、スピンドルモータ９の回転が継続するように、ある一定のデューティ値のＰＷＭ信号をＰＷＭ出力回路７から出力し、スピンドルモータ駆動回路８によりスピンドルモータ９を駆動していた。そのため、データの読み込みを行っていないにも関わらず、スピンドルモータ９は、回転のための電力を消費していて、ポータブル機器においては、電池寿命時間を悪化させていた。また、設定するＰＷＭ信号のデューティ値を低い値に設定すると、読み込みを行っていない期間の途中でスピンドルモータ９の回転が停止してしまったり、非常な低速回転となって、次に読み込みを行うための高速回転に移行するためには大電流を必要とするなどという問題点があった。
【０００８】
特に、このデータの読み込みを行っていない期間に、スピンドルモータ９が停止してしまうと、ＣＤプレイヤー特有の曲送りのスキップ操作やサーチ操作を行ったとき、スピンドルモータ９の回転起動に時間がかかってしまい、データ読み込み開始までに時間を要するため、音声信号の頭切れや、音切れを起こしてしまい、連続した音声信号を再生できないという問題点があった。
【０００９】
本発明は上記従来の問題点を解決するもので、回転を停止することなく、データ読み込みを行わない期間の平均電流を低下させ、少ないモータ駆動電流にて回転数制御を行うＣＤプレイヤーを提供することを目的とする。
【００１０】
【課題を解決するための手段】
この目的を達成するために、本発明のディスクプレイヤーは、ディスクからデータを受け取るピックアップと、前記ピックアップからの信号を増幅するＲＦアンプと、前記ＲＦアンプからの増幅された信号から音声出力用のデジタル信号と制御用のデジタル信号とを生成する信号処理回路と、前記信号処理回路で生成されたデジタルの音声信号を記憶するデータ記憶装置と、デジタル音声信号をアナログの音声信号に変換するＤ／Ａコンバータと、アナログ音声信号を増幅して音に変換するオーディオ回路と、ディスクの回転を駆動するスピンドルモータと、前記スピンドルモータに電圧を印加し電流を流すことで回転を制御するスピンドルモータ駆動回路と、前記スピンドルモータ駆動回路の駆動状態を制御するためのＰＷＭ出力回路と、前記信号処理回路からの時間や回転状態の情報を受けて、スピンドルモータの回転速度を変えるためにＰＷＭ波形の印加パルス幅、デューティ値を制御するＰＷＭ信号制御回路とを備え、再生のための回転速度よりも高速回転でディスクからデータ読み込みを行い、データを前記データ記憶装置に蓄積し、蓄積したデータを先に記憶されたデータから順次定速度で前記信号処理回路から出力しつつ、前記データ記憶装置の記憶容量が満たされてデータ読み込みを終了し、次のデータ読み込みを開始するまでの期間中は低デューティ値のＰＷＭ信号を印加しつつ間欠的に高デューティ値のＰＷＭ信号を印加し、かつ次のデータ読み込み開始直前の所定時間に加速を行うための設定されたデューティ値のＰＷＭ信号を印加して前記スピンドルモータの回転数を上げるように制御する構成を有している。
【００１１】
また、上記の構成において前記信号処理回路は前記ＰＷＭ信号制御回路に前記スピンドルモータの回転数情報を与えることもできる。
【００１２】
さらに上記各構成において、前記信号処理回路からの情報を受けて、絶対再生時間を管理してディスク上のどの位置を再生しているかを認識し、前記ＰＷＭ信号制御回路にＰＷＭ信号のデューティ値を変更する情報を与える絶対時間認識回路をさらに備え、絶対再生時間の情報位置によって、次のデータ読み込みが開始される直前に加速のために印加するＰＷＭ信号のデューティ値をその都度可変するようにすることもできる。
【００１３】
このような構成によって、再生のための回転速度よりも高速にてディスクよりデータの読み込みを行い、いったんデータ記憶装置に蓄積しながら出力し、その差分のデータによりデータ記憶装置の記憶容量が満たされてデータ読み込みを終了し、次のデータ読み込みを開始するまでの期間中に、スピンドルモータの回転を止めることなく、データ読み込み中に発生していた回転の慣性力を利用して、低デューティ値のＰＷＭ電圧を印加して回転を継続させ、ついで時間経過に伴い低デューティ値のＰＷＭ電圧の印加のために低下していく回転速度に合わせて、ＰＷＭ信号のデューティ値を可変させて、間欠的に高デューティ値のＰＷＭ信号を印加することにより大幅な回転数の低下を防ぎ、さらには、次のデータ読み込みが開始される直前の指定時間に、加速を行うための設定されたデューティ値のＰＷＭ信号を印加してスピンドルの回転数を上げるように制御することにより、データ読み込みを行わない期間の平均電流を低下させ、少ないモータ駆動電流にて回転数制御を行うことができる。
【００１４】
さらに、絶対再生時間の情報位置によって、次のデータ読み込みが開始される直前に印加する加速のためのＰＷＭ信号のデューティ値をその都度可変することにより、効率よい回転数の移行が行われ、加速のための平均モータ電流を低減することができ、省電力化と電池寿命時間を長くできるという作用を有する。
【００１５】
【発明の実施の形態】
（実施の形態１）
以下、本発明の実施の形態１について、ＣＤプレイヤーの場合を図１から図４を用いて説明する。図１は本発明の実施の形態１におけるＣＤプレイヤーのブロック図、図２はＰＷＭ出力回路７より出力されるＰＷＭ制御された１サイクル分の電圧波形の図で、（ａ）は３２分割の能力があるケースでの８ＬＳＢに設定した電圧波形図、（ｂ）は３２分割の能力があるケースでの４ＬＳＢに設定した電圧波形図、図３はスピンドルモータの回転速度を変えるためにＰＷＭ波形の印加パルス幅、デューティ値を制御した時のタイミングチャートで、（ａ）はＰＷＭ信号制御回路１１で制御が行われた時のＰＷＭ出力回路７からの出力電圧波形、（ｂ）は制御が行われた時のスピンドルモータの回転数変化、（ｃ）は制御が行われた時のスピンドルモータの平均駆動電流を示したもの、図４は実施の形態１における動作説明のためのスピンドルモータの回転数と平均電流値を示す図である。
【００１６】
図１において、ピックアップ１、ＲＦアンプ２、信号処理回路３、データ記憶装置４、Ｄ／Ａコンバータ５、オーディオ回路６、ＰＷＭ出力回路７、スピンドルモータ駆動回路８、スピンドルモータ９、ディスク１０等は従来例の図７と同等のもので、同じ符号を付けて説明を簡略にする。
【００１７】
ＰＷＭ信号制御回路１１は、信号処理回路３からの時間や回転状態の情報を受けて、スピンドルモータ９の回転速度を変えるためにＰＷＭ波形の印加パルス幅、デューティ値を制御する。絶対時間認識回路１２は、信号処理回路３からの情報を受けて、絶対再生時間を管理してディスク上のどの位置を再生しているかを認識し、ＰＷＭ信号制御回路１１にＰＷＭ信号のデューティ値を変更する情報を与える。
【００１８】
破線で囲った部分は、信号処理回路３、Ｄ／Ａコンバータ５、ＰＷＭ出力回路７、ＰＷＭ信号制御回路１１、および絶対時間認識回路１２を１つのマイクロコンピュータ１３で構成した例であって、個別構成であっても、全く問題はないが、このように１個のマイクロコンピュータで構成すれば、一貫した制御を行うことができると共に、スムーズな処理を行うことが出来る場合がある。
【００１９】
以上のように構成された本実施形態のＣＤプレイヤーについて、図１〜図４を用いてその動作を説明する。まずピックアップ１は、回転しているディスク１０からデータを読み込んでＲＦアンプ２へ送る。ＲＦアンプ２では読み込んだＲＦ信号の増幅を行い、信号処理回路３では、データのスライス、クロック抽出を行った後、ＥＦＭ復調や誤り訂正などの処理を行う。処理されたデータはいったんデータ記憶装置４に一時記憶した後、先に記憶されたデータから順次所定速度で信号処理回路３から出力する。
【００２０】
信号処理回路３から出力された音声信号を、Ｄ／Ａコンバータ５でアナログ音声信号に変換し、オーディオ回路６にて、電圧増幅と電力増幅をして、音として聞くことができる。また、信号処理回路３は、入力信号から得たスピンドルモータの回転情報をＰＷＭ出力回路７に送り、ＰＷＭ出力回路７では、所望の回転数になるよう、パルスのデューティ値を可変させて出力し、スピンドルモータ駆動回路８を制御して、スピンドルモータ９を駆動し、ピックアップ１でデータ読み込みを行う。
【００２１】
本実施の形態では、ディスク１０を２倍速の回転でデータ読み込みを行う例を考える。データ記憶装置４にデータ記憶装置４が持つ容量いっぱいにデータが蓄積されると、ピックアップ１でのデータの読み込みを停止し、データ記憶装置４からデジタルの音声信号を出力し、信号処理回路３、Ｄ／Ａコンバータ５を経て、オーディオ回路６にて、継続して音声を出力する。
【００２２】
一例として、データ記憶装置４の容量が１６Ｍビットの場合、２倍速の回転でデータ読み込みを４０秒間行い、蓄積したとすると、メモリ残量や音飛びを一切考慮しなければ、データの読み込みを行わない時間は４０秒となり、４０秒経過して記憶容量が空きになると、再び２倍速の回転でデータ読み込みを行い、データ記憶装置４にデータを蓄積していくこととなる。このように、１つはデータ読み込み期間、もう１つは記憶装置からの排出だけの期間、つまりデータの読み込みを行わない期間という２つの大きな動作を繰り返し行いながら、再生動作を継続していく。
【００２３】
ここで、このデータの読み込みを行わない期間の、ＰＷＭ信号の制御について説明する。まず、ＰＷＭ電圧制御について、図２を用いて説明する。現在、通常用いられているスピンドルモータの駆動制御は、ＰＷＭ制御である。スピンドルモータに可変されたＤＣ電圧を印加して回転数を変える印加電圧値制御の場合、ＤＣ電圧を可変する機構が複雑になってしまうこと、またＰＬＬ制御などの高精度の制御方法がとれないなどの理由から、印加電圧値制御は考えられない。
【００２４】
ＰＷＭ制御の１サイクル分を２２．５μＳとし、ＰＷＭ分割能力が３２分割の能力である場合、図２（ａ）のように８ＬＳＢに設定すると、電圧が印加される時間は約５．６２μＳとなる。当然十分に早い速度で繰り返される電圧印加のため、スピンドルモータ９には、この平均電圧が印加されたことになる。図２（ｂ）の場合は、４ＬＳＢに設定したもので、その平均電圧値は、８ＬＳＢの場合に対して半分の電圧印加と同じとなる。しかし、スピンドルモータが回転している時、スピンドルモータ９に流入する駆動電流は、印加する電圧だけでは決定されない。スピンドルモータ９はＬ負荷となっているだけでなく、スピンドルモータ９の回転状態、つまり回転数により、駆動電流は異なることとなる。同じ電圧を印加しても、印加する電圧値で収束しようとする回転数に対して、回転数が高い場合は少ない電流で、また回転数が低い場合は逆に多量の電流を必要とする。そのため、図２の（ａ）や（ｂ）の電圧波形とは異なる電流波形となる。
【００２５】
図３の本実施の形態における代表的なタイミングチャートを用いてＰＷＭ信号制御を説明する。同図において、（ａ）はＰＷＷ制御信号波形図、（ｂ）はスピンドルモータ回転数特性図、（ｃ）はスピンドルモータ平均駆動電流特性図である。まず、データ読み込みが終了した時、スピンドルモータはほぼ２倍速での回転を行っている。ここで、データ読み込み中に発生していた回転の慣性力を利用して、４ＬＳＢという低デューティ値でのＰＷＭ電圧を印加する。ここで、電圧印加を行わないことも考えられるが、低下していく回転数に対しての効率は、低デューティ値でのＰＷＭ電圧印加を継続して行った方が、遙かに良いデータが得られる。つまり、消費するスピンドルモータ駆動電流対スピンドルモータの回転低下数の効率が最も良い値に設定する。この設定値は、スピンドルモータや、スピンドルモータ駆動回路に印加される電源電圧値により異なるため、最終的には、実試験が必要となる。
【００２６】
図４は、４ＬＳＢ固定時の制御の場合（設定Ｂ）と、２秒間隔での間欠的な８ＬＳＢ印加を行ったデューティ間欠制御時（設定Ａ）のスピンドルモータの回転数とスピンドルモータ駆動回路で消費する平均電流値を示したものである。図４のように、２秒間隔で、約１００ｍＳの期間８ＬＳＢのＰＷＭ電圧を印加した場合、４ＬＳＢに固定して印加した場合よりも、必要とされるスピンドルモータ平均駆動電流に対するスピンドルモータの回転低下数の効率が良くなる。設定Ａと設定Ｂを比較する場合、設定Ａの方が最終回転数が高いとした場合、（設定Ａの平均駆動電流）と（設定Ｂの平均駆動電流＋設定Ａと設定Ｂの低下回転数の差分を上げるに必要な平均駆動電流）を比較して小さい方が、効率は良いということとなる。
【００２７】
なお、先に述べた方法だけでなく、回転数の早い期間は４ＬＳＢを印加し、回転数が低下すると共に、５ＬＳＢ、６ＬＳＢと時間軸に対応してＰＷＭ印加デューティ値を可変しても良い。
【００２８】
低デューティ値でのＰＷＭ電圧印加のため、スピンドルモータ内の摩擦等で次第に回転数が低下していく。ここで、次のデータ読み込みが開始される直前のたとえば７秒前より、たとえば９ＬＳＢのデューティ値のＰＷＭ信号を印加してスピンドルの回転数を上げるように制御を行う。当然、加速する時間は７秒の固定にする必要はなく、加速のために印加するＰＷＭ信号も９ＬＳＢに限る必要はない。回転系において、最も効率の良いスピンドル駆動のための平均電流が導き出せる設定にする。回転数が上がってほぼ希望の回転数になるところで、データ読み込みの制御動作が開始されるように設定する。以上のように一連のスピンドルモータ９の回転数状態を考慮しながら、ＰＷＭ制御を繰り返し行うようにするものである。
【００２９】
以上のように本実施の形態によれば、一般的なＣＤプレイヤーを構成する回路ブロックに加え、信号処理回路からの時間や回転状態の情報を受けて、スピンドルモータの回転速度を変えるためにＰＷＭ波形の印加パルス幅、デューティ値を制御するＰＷＭ信号制御回路を備え、次のデータ読み込みを開始するまでの期間中に、スピンドルモータの回転を止めることなく、データ読み込み中に発生していた回転の慣性力を利用して、低デューティ値のＰＷＭ電圧を印加して回転を継続させるとともに、時間経過に伴い低デューティ値のＰＷＭ電圧の印加のために低下していく回転速度に合わせて、ＰＷＭ信号のデューティ値を可変させて、間欠的に高デューティ値のＰＷＭ信号を印加することにより大幅な回転数の低下を防ぎ、さらには次のデータ読み込みが開始される直前の所定時間に、加速を行うための設定されたデューティ値のＰＷＭ信号を印加してスピンドルの回転数を上げるように制御することにより、回転を停止することなく、データ読み込みを行わない期間の平均電流を低下させ、少ないモータ駆動電流にて回転数制御を行うことができ、省電力化により電池寿命時間を長くすることができる。
【００３０】
（実施の形態２）
以下本発明の実施の形態２について実施の形態１で用いた図１ならびに図５および図６を用いて説明する。図５はＣＤプレイヤーの絶対再生時間対スピンドルモータの回転数の関係を示す図、図６は絶対再生時間と、その期間中の次のデータ読み込みが開始される直前に印加する加速のためのＰＷＭ信号のデューティ値とを示す表である。
【００３１】
図１において、絶対時間認識回路１２は、信号処理回路３からの情報を受けて、絶対再生時間を管理してディスク上のどの位置を再生しているかを認識し、ＰＷＭ信号制御回路１１にＰＷＭ信号のデューティ値を変更する情報を与える。すなわち絶対時間認識回路１２は、ピックアップ１がデータ読み込みを停止してから、次のデータ読み込みを開始する直前に、加速のために印加するＰＷＭ信号のデューティ値をその都度可変するよう制御するものである。
【００３２】
以上のように構成されたＣＤプレイヤーについて、以下その動作を説明する。図５からもわかるように、ＣＤプレイヤーは一定の回転数でスピンドルモータを回転させるのではなく、一定の線速度でスピンドルを回転している。つまり、絶対再生時間が小さい時は、ディスク１０の内周側を高い回転数で、また絶対再生時間が大きくなると、ディスクの外周側に移行し、その回転数は低下していく。先に述べた実施の形態１では、加速するためのＰＷＭ信号のデューティ値を固定して回転数を上げていたが、絶対再生時間に合わせてＰＷＭ信号のデューティ値を決定し印加すれば、効率よい回転数の移行が行われることとなる。
【００３３】
図６に、絶対再生時間と、その期間中の次のデータ読み込みが開始される直前に加速のために印加するＰＷＭ信号のデューティ値との表を示す。ピックアップ１によってデータの読み込みが行われ、データ記憶装置４にデータ記憶装置４が持つ容量いっぱいにデータが蓄積されると、ピックアップ１でのデータの読み込みを停止し、実施の形態１で説明したデータ読み込みを行わない期間になる。その期間が継続され、次のデータ読み込みが開始される直前の所定の時間分だけ前より、図６の表に基づいたデューティ値のＰＷＭ信号を印加してスピンドルの回転数を上げるように制御を行う。例えば、絶対再生時間を認識した時、２０分が経過していたとすると、この時の加速のために印加されるＰＷＭ信号のデューティ値は７ＬＳＢのＰＷＭ信号とする。なお、図６の表はその一例であり、絶対時間の区分けは、この表よりもっと細分化しても良い。
【００３４】
以上のように本実施の形態によれば、実施の形態１に加えて、信号処理回路からの情報を受けて、絶対再生時間を管理してディスク上のどの位置を再生しているかを認識し、ＰＷＭ信号制御回路にＰＷＭ信号のデューティ値を変更する情報を与える絶対時間認識回路を備え、絶対再生時間の情報位置によって、次のデータ読み込みが開始される直前に加速のために印加するＰＷＭ信号のデューティ値をその都度可変することにより、効率よい回転数の移行が行われ、加速のための平均モータ電流を低減することができる。
【００３５】
なお、以上の説明では、スピンドルモータの回転数の検出は行っていないが、信号処理回路３から生成されるデジタル制御信号より、スピンドルモータの回転状態を把握して、ＰＷＭ信号のデューティ値を決定してもよい。
また各実施形態ではＣＤプレイヤーの例を説明したが、ＣＤのみに限らず光磁気ディスク等本発明の技術を適用できるディスクプレイヤーには実施が可能である。
【００３６】
【発明の効果】
以上説明したように本発明のディスクプレイヤーは、データ読み込みを行わない期間に、スピンドルモータに印加されるＰＷＭ信号のデューティ値を制御することにより、データ読み込みを行わない期間の平均電流を低下させ、少ないモータ駆動電流で回転数制御を行うことができる。
【００３７】
さらに、絶対再生時間の情報位置によって、次のデータ読み込みが開始される直前に加速のために印加するＰＷＭ信号のデューティ値をその都度可変することにより、効率よい回転数の移行が行われ、加速のための平均モータ電流を低減することができるという優れた効果が得られる。
【図面の簡単な説明】
【図１】本発明の実施の形態１におけるＣＤプレイヤーのブロック図
【図２】同じくＰＷＭ制御された１サイクル分の電圧波形図
（ａ）３２分割の能力があるケースでの８ＬＳＢに設定した電圧波形図
（ｂ）３２分割の能力があるケースでの４ＬＳＢに設定した電圧波形図
【図３】同じくスピンドルモータの回転速度を変えるためにＰＷＭ波形の印加パルス幅、デューティ値を制御した時のタイミングチャート
（ａ）ＰＷＷ制御信号波形図
（ｂ）スピンドルモータ回転数特性図
（ｃ）スピンドルモータ平均駆動電流特性図
【図４】同じくスピンドルモータの回転数と平均電流値を示す図
【図５】同実施の形態２におけるＣＤプレイヤーの絶対再生時間対スピンドルモータの回転数の関係を示す図
【図６】同実施の形態２における絶対再生時間と加速のためのＰＷＭ信号のデューティ値とを示す図
【図７】従来のＣＤプレイヤーのブロック図
【符号の説明】
１　ピックアップ
２　ＲＦアンプ
３　信号処理回路
４　データ記憶装置
５　Ｄ／Ａコンバータ
６　オーディオ回路
７　ＰＷＭ出力回路
８　スピンドルモータ駆動回路
９　スピンドルモータ
１０　ディスク
１１　ＰＷＭ信号制御回路
１２　絶対時間認識回路
１３　マイクロコンピュータ
【図１】
2004087020.tif 000003
【図２】
2004087020.tif 000004
【図３】
2004087020.tif 000005
【図４】
2004087020.tif 000006
【図５】
2004087020.tif 000007
【図６】
2004087020.tif 000008
【図７】
2004087020.tif 000009